(57)【特許請求の範囲】
【請求項１】
蓄電池を内蔵し、電気機器本体または充電器に装着脱可能な電池パックであって、蓄電池を収容するパックハウジングの側面に底面が開口する表示器収納筒部を突設し、蓄電池の容量を演算する容量演算回路を実装した基板にリード線を介して表示器を接続し、上記表示器を表示器収納筒部内に収納配置することによりパックハウジングの側面に表示部を配置して蓄電池の容量を表示すると共に、上記基板が収納配置された底ケースをパックハウジングの底面部に取付けて成ることを特徴とする電池パック。
【請求項２】
パックハウジングの底面部と底ケースの底面との間に底ケース内を貫通してパックハウジング内と底ケース外部とを連通する筒部を設けて成ることを特徴とする請求項１記載の電池パック。
【請求項３】
パックハウジングの底面に取付けられる底ケース内に容量演算回路を実装した基板を収納配置し、パックハウジングの底面部と底ケースの底面との間に底ケース内を貫通してパックハウジング内と底ケース外部とを連通する筒部を設け、上記基板に通孔を穿設し、この通孔に筒部を挿通して成ることを特徴とする請求項１記載の電池パック。
【請求項４】
パックハウジングの底面部よりパックハウジング外部に連通する筒体を突設し、底ケースの底面より底ケース外部に連通する筒体を突設し、両筒体を連結して筒部を形成して成ることを特徴とする請求項２記載の電池パック。
【請求項５】
底ケース内に絶縁性樹脂を充填配置して容量演算回路を底ケース内に封止して成ることを特徴とする請求項１記載の電池パック。
【発明の詳細な説明】
【０００１】
【産業上の利用分野】
本発明は、内蔵された蓄電池の残容量を表示する表示部を備えた電池パックに関するものである。
【０００２】
【従来の技術】
従来、電気機器本体に着脱自在となった電池パックの電池容量を表示するものとして種々のものが提供されており、電気機器本体に電池の放電量を検出して容量を演算する容量演算回路と容量表示部を備えたものとして、例えば、特開平４−２９０７８号公報に示されるようなものがある。
【０００３】
このものは、電池パックが装着されたことを検出して電池の初期容量を１００％と設定するものであり、電池パックを充電する時は電気機器から取り外して別の充電器にセットされるようになっている。
【０００４】
【発明が解決しようとする課題】
しかし、上述のような従来例にあっては、電池の放電量と共に充電量も検出するようにはなっていないことから、常に正確に１００％充電された電池パックを装着しなければ正しい容量を表示することができないという問題があった。つまり、誤って使用済みの電池パックを装着してしまうと誤った容量が表示されてしまい使用者に誤解を生じさせるという問題があった。
【０００５】
本発明は上記問題点の解決を目的とするものであり、電気機器に対して装着脱可能となった電池パックにおいて、正確な容量表示が行われる電池パックを提供しようとするものである。
【０００６】
【課題を解決するための手段】
本発明では、上記目的を達成するために、蓄電池１を内蔵し、電気機器本体２または充電器に装着脱可能な電池パックＡであって、蓄電池１を収容するパックハウジング３の底面に取付けられる底ケース４内に蓄電池１の容量を演算する容量演算回路を収納配置し、蓄電池１の容量を表示する表示部６をパックハウジング３の側面に設けたものである。
【０００７】
また、パックハウジング３の側面に底面が開口する表示器収納筒部７を突設し、容量演算回路を実装した基板８にリード線９を介して表示器１０を接続し、上記表示器１０を表示器収納筒部７内に収納配置してパックハウジング３の側面に表示部６を配置し、基板８が収納配置された底ケース４をパックハウジング３の底面部に取付けたものである。
【０００８】
また、パックハウジング３の底面部と底ケース４の底面との間に底ケース４内を貫通してパックハウジング３内と底ケース４外部とを連通する筒部１１を設けるようにしてもよい。
また、パックハウジング３の底面に取付けられる底ケース４内に容量演算回路を実装した基板８を収納配置し、パックハウジング３の底面部と底ケース４の底面との間に底ケース４内を貫通してパックハウジング３内と底ケース４外部とを連通する筒部１１を設け、上記基板８に通孔１２を穿設し、この通孔１２に筒部１１を挿通するようにしてもよい。
【０００９】
また、パックハウジング３の底面部よりパックハウジング３外部に連通する筒体１３を突設し、底ケース４の底面より底ケース４外部に連通する筒体１４を突設し、両筒体１３，１４を連結して筒部１１を形成するようにしてもよい。
また、底ケース４内に絶縁性樹脂１５を充填配置して容量演算回路を底ケース４内に封止するようにしてもよい。
【００１０】
【作用】
しかして、底ケース４内に配された容量演算回路にて演算された蓄電池１の残容量がパックハウジング３の側面に設けられた表示部６に表示されるものであり、表示部６を介して電池パックＡ自体の正確な容量表示が行われる。
【００１１】
【実施例】
以下、本発明を図示された実施例に基づいて詳述する。
電池パックＡは例えば、ドリルドライバー等の電気機器本体２または充電器に対して装着脱自在となっており、図２、図３に示されるように蓄電池１が収納配置されるパックハウジング３と、パックハウジング３の上部に取着される上ケース２０と、パックハウジング３の下部に取着される底ケース４とによって主体が構成されている。
【００１２】
パックハウジング３の底面に取付けられる底ケース４内には蓄電池１の容量を演算する容量演算回路が収納配置され、蓄電池１の容量を表示する表示部６がパックハウジング３の側面に設けられており、蓄電池１の残容量が表示部６にて一目で分かるようになっている。
パックハウジング３内に収納配置される蓄電池１は複数本の各極を板金で相互に溶接結合し、一対の充電端子１６を溶接してブロック化されており、図示されたものにあっては、一端部がわで積み上げた状態とされ、最上部に配されるものに充電端子１６が取付けられている。充電端子１６からはリード線１７が導出されており、このリード線１７の先端にはコネクタ１８が設けられている。この蓄電池１は下部側で複数本並設されたものがパックハウジング３内に収容されるようになっており、積み上げられたものは固着具１９によってパックハウジング３の上部開口に取着される上ケース２０の筒状体２１内に収容されるようになっている。
【００１３】
上ケース２０は蓋板２２の一端部より上方に向けて筒状体２１を突設して形成されており、筒状体２１には蓄電池１に設けられた充電端子１６を露出させるための開口部２３が一対設けられている。
パックハウジング３は上面が開口する受け箱状に形成されており、側面板からは上方に向けて電池パックＡを電気機器本体２に係止固定する係止片２４が一対突設されている。パックハウジング３内の底部には蓄電池１より導出されたコネクタ１８を収納するコネクタ収容部２５が設けられており、コネクタ収容部２５の底部には挿通孔２６が設けられている。パックハウジング３の側面板の前端寄りの外面には底面が開口する表示器収納筒部７が突設されており、表示器収納筒部７には上下方向に向けて表示窓７ａが所定間隔毎に設けられている。ここで、表示器収納筒部７を側面板の前端寄りの外面に設けることで電池パックＡを電気機器本体２に装着した場合に作業者の手に表示器収納筒部７が当たったりしにくいようになっており、作業の邪魔にならないようになっている。また、作業者の手の影に入ったりすることなく作業中でも表示器収納筒部７の表示窓７ａを見やすいようになっている。
【００１４】
固着具３２によってパックハウジング３の底部に取着される底ケース４は上面が開口する受け箱状に形成されており、側面板の前端寄りの外面にはパックハウジング３に設けられた表示器収納筒部７の位置と対応する位置に受け台２９が突設されている。底ケース４内には図３に示されるように蓄電池１の容量を演算する容量演算回路を実装した基板８が絶縁性樹脂１５によって封止されるようにして収納配置されており、基板８より導出されたリード線９には表示器１０が取付けられている。基板８の端部にはコネクタ３０が設けられており、このコネクタ３０にはコネクタ収容部２５内に配された蓄電池１側のコネクタ１８が挿通孔２６を介して接続されるようになっている。表示器１０は複数のＬＥＤ３１を備えており、ＬＥＤ３１の点灯状態で蓄電池１の残容量を表示するようになっている。この表示器１０は上記表示器収納筒部７内に収納配置されており、表示器１０及び表示器収納筒部７によって表示部６が構成されている。基板８の略中央部には通孔１２が穿設されており、この通孔１２にはパックハウジング３と底ケース４との間に設けられる筒部１１が挿通されるようになっている。
【００１５】
筒部１１は底ケース４内を貫通してパックハウジング３内と底ケース４外部とを連通するようになっており、パックハウジング３の底面部よりパックハウジング３外部に連通するように突設された筒体１３と、底ケース４の底面より底ケース４外部に連通するように突設された筒体１４とを連結することで形成されている。
【００１６】
しかして、電池パックＡは図４に示されるように筒状体２１を電気機器本体２のグリップ２ａ内に挿入することで電気機器本体２に装着される。また、筒状体２１を充電器（図示せず）の装着部に差し込むことで充電器に接続されるものである。
そして、底ケース４内に配された容量演算回路にて演算された蓄電池１の残容量がパックハウジング３の側面に設けられた表示部６に表示されるものであり、電池パックＡ自体の正確な容量表示が表示部６を介して行われる。そして、上記電池パックＡは、従来の容量表示なしの電池パックのパックハウジング３に表示器収納筒部７を突設し、この表示器収納筒部７内に表示器１０を収納配置して表示部６が形成されるので、従来の容量表示なしの電池パックの構成が大部分そのまま利用でき、わずかな変更で実施可能であり、しかも、容量演算回路と表示器１０がユニット化されており、このユニットは基板８を底ケース４に収容した状態で表示器１０を表示器収納筒部７の底面開口より挿入すると共に底ケース４をパックハウジング３に取付けることで組み立てが行われるために組み立て作業が簡単に行えるものである。また、老朽化や落下等の衝撃もしくは短絡等により蓄電池１内の電解液が漏液しても電池パックＡ外に貫通された筒部１１によって電解液がパックハウジング３内より電池パックＡ外に排出されるものであり、底部に配された基板８に電解液がかかって容量演算回路が故障するようなことを回避するようになっている。しかも、基板８は絶縁性樹脂１５によって底ケース４内に封止されているためにこの点においても基板８に電解液による悪影響が生じにくいようになっている。また、筒部１１は筒体１３と筒体１４とを相互に接続して形成されているために筒部１１によってパックハウジング３と底ケース４との間の空間を補強した状態となっており、落下等の耐衝撃性能を向上させるようになっている。さらに、容量演算回路が実装された基板８は、基板８に穿設された通孔１２に筒部１１を挿入して底ケース４内に組み込むようになっているために基板８を位置決めすることができ、組み立て時に基板８をパックハウジング３と底ケース４との間に挟むようなこともないようになっている。
【００１７】
【発明の効果】
本発明は上述のように、蓄電池を内蔵し、電気機器本体または充電器に装着脱可能な電池パックであって、蓄電池を収容するパックハウジングの底面に取付けられる底ケース内に蓄電池の容量を演算する容量演算回路を収納配置し、蓄電池の容量を表示する表示部をパックハウジングの側面に設けてあるので、蓄電池の充放電量は底ケース内に配された容量演算回路及びパックハウジングの側面に設けられた表示部にて表示されることとなり、正確な容量表示を電池パック自体で行うことができるものである。また、パックハウジングとは別の底ケース内に容量演算回路を収納するため、従来の容量表示なしの電池パックの構成が大部分そのまま利用することができ、従来の電池パックが装着される電気機器の構成を変更することなく電池パックを使用することができるものである。さらに、パックハウジングの底面に底ケースを設けるという変更によって対応することができるために幅が大きくならず、作業の邪魔になるようなこともなく、電池パックの使用時の作業性が従来より劣るということもないものである。
【図面の簡単な説明】
【図１】本発明の一実施例を示す正面図である。
【図２】同上の分解斜視図である。
【図３】同上の断面図である。
【図４】電気機器本体への装着状態を示す正面図である。
【符号の説明】
Ａ  電池パック
１  蓄電池
２  電気機器本体
３  パックハウジング
４  底ケース
６  表示部
７  表示器収納筒部
８  基板
９  リード線
１０  表示器
１１  筒部
１２  通孔
１３  筒体
１４  筒体
１５  絶縁性樹脂
【図１】
0003543331.tif 000002
【図２】
0003543331.tif 000003
【図３】
0003543331.tif 000004
【図４】
0003543331.tif 000005